(57)【要約】【課題】木造建物の柱を、後で簡単に分解できるようにして再利用する。【解決手段】土台２の上に突出したアンカーボルト６に背の高い連結ナット１１をねじ込んで緊締し、その下端に形成されているつば１１ａをビス１２で土台２に固定する。柱３は、予めその中心に沿って上端から下端まで穴１９をあけておき、その中に金属製のねじ軸２０を通しておく。このように形成した柱３をアンカーボルト６と中心を合わせて土台２の上に立てる。この状態で、ねじ軸２０の上端に設けた角断面部２０を回して、ねじ軸の先端を連結ナット１１の中にねじ込む。梁５には予め垂直に穴をあけておき、柱３から上に突出するねじ軸２０をこの穴の中に通すようにして梁を柱の上に渡す。梁の上に突出するねじ軸２０に連結ナット２２を螺合緊締する。【選択図】図２
2005155018.tif 000002
【特許請求の範囲】
【請求項１】
コンクリート基礎に植設され、該基礎の上に置かれた土台に挿通されたアンカーボルトに連結ナットを螺合すると共に、該連結ナットが回らないようにこれを該土台に固定し、該土台の上の、該連結ナットと同心位置に柱を立て、該柱の中心線に沿ってあけた穴に挿通した金属製のねじ軸の下端を該連結ナットに螺合緊締するようにした木造建物の柱の支持構造。
【請求項２】
該ねじ軸が、該柱の上に渡した梁を垂直に貫いた後、該柱に挿通される請求項１に記載の木造建物の柱の支持構造。
【請求項３】
該ねじ軸の上端に連結ナットを螺合すると共に、該連結ナットが回らないようにこれを該梁に固定し、該梁の上の、該連結ナットと同心位置に２階部分の柱を立て、該２階部分の柱の中心線に沿ってあけた穴の中に挿通した金属製のねじ軸の下端を該連結ナットに螺合緊締するようにした請求項２に記載の木造建物の柱の支持構造。
【発明の詳細な説明】
【技術分野】
【０００１】
この発明は、木造住宅における柱の支持構造に関する。
【背景技術】
【０００２】
現代社会は廃棄物の処理に窮しており、物はできるだけリサイクルして、廃棄物の量を少なくしていくことが急務となっている。住宅もまた例外ではなく、古くなった木造住宅は、ていねいに分解し、柱や梁など使えるものは再利用していくことが必要である。
【０００３】
ところで、従来の軸組み木造住宅では、柱の下端にほぞを形成し、これを土台のほぞ穴に嵌入して柱を立てる。柱と梁（または桁）との結合も同様の構造になっている。このような構造の建物は、古くなって解体するとき、ほぞが簡単には抜けなくて、結合部分が破損してしまうことが多い。このため、解体して取り出した柱等が再利用できないことが多い。
【発明の開示】
【発明が解決しようとする課題】
【０００４】
この発明は、木造建物の柱を、後で分解して再利用しやすくすることを課題とする。
【課題を解決するための手段】
【０００５】
この発明に係る木造建物の柱の支持構造は、コンクリート基礎に植設され、基礎の上に置かれた土台に挿通されるアンカーボルトに連結ナットを螺合すると共に、連結ナットを回らないよう土台に固定する。土台の上の、連結ナットと同心位置に柱を立て、柱の中心線に沿ってあけた穴の中に挿通した金属製のねじ軸の下端を連結ナットに螺合緊締する（請求項１）。
【０００６】
この支持構造によれば、柱は、ねじ軸を緩めて連結ナットから外すことにより、損傷なく簡単に取り外すことができ、同種構造の建物を立てる場合に、そのまま再利用することができ、柱のリサイクルが円滑に行える効果がある。
【０００７】
柱の上に梁を渡す場合、ねじ軸は梁を垂直に貫いた後、柱に挿通する（請求項２）。こうすれば、梁を柱に支持することができ、また、ねじ軸を緩めるだけで、梁も簡単に外すことができる。
【０００８】
梁の上に２階部分の柱を立て場合は、ねじ軸の上端に連結ナットを螺合すると共に、連結ナットが回らないようにこれを梁に固定し、梁の上の、連結ナットの同心位置に２階部分の柱を立て、２階部分の柱の中心線に沿ってあけた穴の中に挿通した金属製のねじ軸の下端を連結ナットに螺合緊締する（請求項３）。こうすれば、２階部分の柱も、ねじ軸を緩めるだけで簡単に外すことができる。
【発明を実施するための最良の形態】
【０００９】
図１は木造住宅の軸組みを示したものであり、符号１はコンクリート基礎、２は土台、３は柱、５は梁ないし桁である。コンクリート基礎１には間隔を存してアンカーボルト６を植設する。柱３の下には必ずアンカーボルトを設ける。アンカーボルト６は従来通りのもので、抜け難いように下部はＬ字状に折曲しており、上部には雄ねじが刻設してある。
【００１０】
図２および図３に示すように、これらアンカーボルト６に通すようにして、基礎１上に基礎パッキン７を敷く。基礎パッキンは、基礎１と土台２の間に隙間９を空けて床下に風が入るようにするためのものであり、厚みは20mmほどが普通であるが、これに限定されない。
【００１１】
基礎パッキンを敷いた後、土台２にあけた穴を各アンカーボルト６に挿通するようにして、基礎１の上に土台２を置く。上に柱がないところでは、土台の上に突出したアンカーボルトに従来どおりナット１０を螺合して締め付ける。
【００１２】
上に柱が立つところでは、図２および図３に示すように、土台２の上に突出したアンカーボルト６に背の高いナット（以下、連結ナットという。）１１をねじ込んで緊締し、その下端に形成されているつば１１ａをビス１２で土台２に固定する。符号１３はつば１１ａが収まるように、土台上面に形成した窪みである。なお、アンカーボルト６は、連結ナット１１を締め付けたとき、先端が連結ナットのねじ穴の略中間で止まるような長さにしておく。土台２上面には、アンカーボルト６を囲むように４本の穴１５を穿設し、各穴に位置決めのための金属製のピン１７を立てる。穴１５の深さはピンの長さの半分であり、したがって、立てたピンは半分が土台の上に突出する。
【００１３】
一方、柱３は、予めその中心に沿って上端から下端まで穴１９をあけておき、その中に金属製のねじ軸２０を通しておく。さらに、下端中心軸上には連結ナット１１が収まる穴２１をあけると共に、その周囲にはピン１７が納まる４つの穴１６もあけておく。このように形成した柱３をアンカーボルト６と中心を合わせて土台２の上に立てる。この状態で、ねじ軸２０の上端に設けた角断面部２０ａを回して、ねじ軸の先端を連結ナット１１の中にねじ込む。
【００１４】
梁５には予め垂直に穴をあけておき、柱３から上に突出するねじ軸２０をこの穴の中に通すようにして柱の上に梁を渡す。柱と梁の間にも位置決め金具（ピン１７）を設ける。梁の上に突出するねじ軸２０にねじ筒２２を螺合し、そのつば２２ａにあけた２つの穴２２ｂを利用してねじ筒２２を緊締する。こうすることにより土台の上に柱が、さらにその上に梁が固定される。なお、梁５にはこのねじ筒２２が収まる穴２３を形成し、つば付ナットが梁の上に突出しないようになっている（図３Ａ−Ａ断面も参照）。
【００１５】
後になってこの建物を解体するときは、連結ナット２２を外し、ねじ軸２０の上端を回して下端ねじ部を連結ナットから抜き出すことにより柱３を簡単かつスムースに取り外すことができ、取り外した柱は、同種構造の建物を立てるときにそのまま再利用することができる。
【００１６】
なお、梁の上にさらに２階部分の柱を立てる場合は、図３にＢ−Ｂ断面で示すように、梁５の上に突き出したねじ軸２０に連結ナット２５を螺合し、この連結ナットを梁５にビスで固定する。この連結ナットに、２階部分の柱２６の中を通したねじ軸２７の先をねじ込んで２階部分の柱を固定する。梁５と柱２６と梁の間にも位置決め金具（ピン１７）を設ける。
【図面の簡単な説明】
【００１７】
【図１】木造建物の軸組みの立面図である。
【図２】柱の支持構造を示す斜視図である。
【図３】同じく柱の支持構造を示す断面図である。
【符号の説明】
【００１８】
１    コンクリート基礎
２    土台
３    柱
５    梁（桁）
６    アンカーボルト
１１  連結ナット
２０  ねじ軸
２５  連結ナット
２６  ２階の柱
２７  ２階柱のねじ軸
【図１】
2005155018.tif 000003
【図２】
2005155018.tif 000004
【図３】
2005155018.tif 000005